(57)【特許請求の範囲】
【請求項１】
給水源に連通連結した局部洗浄用ノズルに、複数の流路と、同複数の流路の一つと連通した吸気口とを形成し、通常の洗浄水と気泡混じりの洗浄水とを選択的に吐出可能とした衛生洗浄装置のノズル構造であって、
前記吸気口を、前記複数の流路にそれぞれ連通する複数の吐水口と、同一面上に並設し、
局部洗浄用ノズルは、
複数の洗浄水通路を形成した筒状本体と、
同筒状本体に取付けられ、前記複数の洗浄水通路とそれぞれ対応する袋小路状の溝部を形成するとともに、同溝部の終端部位置を、先端側から同一直線上で異ならせたノズルヘッドと、
同ノズルヘッドを被覆するとともに、前記各溝部の終端部にそれぞれ対応する吐水口を形成し、しかも、最上部側に位置する吐水口に隣接して、同吐水口と前記溝部を介して連通する吸気口を形成した蓋体と、
前記複数の吐水口にそれぞれ対応する開口部を設け、前記筒状本体、ノズルヘッド、及び蓋体を全体的に被覆する筒状胴部とを具備することを特徴とする衛生洗浄装置のノズル構造。
【請求項２】
吸気口を円形にしたことを特徴とする請求項１記載の衛生洗浄装置のノズル構造。
【請求項３】
少なくとも吸気口を囲繞する汚水浸入防止壁を突設したことを特徴とする請求項１又は２に記載の衛生洗浄装置のノズル構造。
【請求項４】
筒状本体の基端部に流路切替弁を設けるとともに、同流路切替弁に、給水源側からの洗浄水を導入するエルボ形流入管を、流入口が後方を向くように取付け、しかも、同エルボ形流入管の取付姿勢を、前記筒状本体の軸線に対して上方へ傾斜させたことを特徴とする請求項１記載の衛生洗浄装置のノズル構造。
【発明の詳細な説明】
【０００１】
【発明の属する技術分野】
この発明は、衛生洗浄装置のノズル構造に関するものである。
【０００２】
【従来の技術】
従来、衛生洗浄装置に設けられた局部洗浄用ノズルには、通常、男女共通の局部洗浄用吐水口と女性用の局部洗浄用吐水口とが設けられている。
【０００３】
近年では、洗浄水中に気泡を取り込んで、気泡混じりの洗浄水で局部洗浄を行うようにしたものが提供され、これが衛生洗浄装置の主流を占めてきている。
【０００４】
すなわち、それ以前のタイプでは、水勢が上がると、使用者によってはあたかも針で突き刺されたような刺激を感じさせることがあったことから、洗浄水中に気泡を混ぜることで、噴出する洗浄水の幅を若干ひろがらせるとともに、大小の気泡の存在でソフト感を与えるようにしたものである。
【０００５】
洗浄水中に気泡を混ぜるためには、吐水口に連通する吸気口を別途設け、吐水時の負圧を利用して前記吸気口からエアを吸い込み、洗浄水中にエアを取り込んで、吐水口から気泡混じりの洗浄水を吐出するようにしている。
【０００６】
そして、上記吸気口については、局部洗浄中に跳ね落ちた汚物が付着することのないように、吐水口の裏側面に設けることが常識的になっている。
【０００７】
さらに、かかる吸気口の開口面積を十分に確保するために、通常、矩形形状の開口としていた。
【０００８】
【発明が解決しようとする課題】
ところが、衛生洗浄装置を製造して出荷する前には、ノズル装置の検査が行われるが、特に、上記したように、複数の流路とこれらにそれぞれ連通する吐水口とを具備するものでは、各流路からの漏水検査が必要となる。
【０００９】
漏水検査は、検査対象となる吐水口をピンで塞いで通水して行うが、気泡混じりの洗浄水を吐出可能としたタイプのものが主流である現状では、当然ながら同吐水口に連通する吸気口も閉塞しなければならない。
【００１０】
しかし、従来の構成では、吸気口は吐水口の反対側に位置することから、吐水口用のピンと、吸気口用のピンとを、別個互いに逆方向から差し込まなければならず、検査工程が煩雑で手間がかかっていた。
【００１１】
本発明は、上記課題を解決することのできる衛生洗浄装置のノズル構造を提供することを目的としている。
【００１２】
【課題を解決するための手段】
上記課題を解決するために、請求項１記載の本発明では、給水源に連通連結した局部洗浄用ノズルに、複数の流路と、同複数の流路の一つと連通した吸気口とを形成し、通常の洗浄水と気泡混じりの洗浄水とを選択的に吐出可能とした衛生洗浄装置であって、前記吸気口を、前記複数の流路にそれぞれ連通する複数の吐水口と、同一面上に並設し、上記局部洗浄用ノズルは、複数の洗浄水通路を形成した筒状本体と、同筒状本体に取付けられ、前記複数の洗浄水通路とそれぞれ対応する袋小路状の溝部を形成するとともに、同溝部の終端部位置を、先端側から同一直線上で異ならせたノズルヘッドと、同ノズルヘッドを被覆するとともに、前記各溝部の終端部にそれぞれ対応する吐水口を形成し、しかも、最上部側に位置する吐水口に隣接して、同吐水口と前記溝部を介して連通する吸気口を形成した蓋体と、前記複数の吐水口にそれぞれ対応する開口部を設け、前記筒状本体、ノズルヘッド、及び蓋体を全体的に被覆する筒状胴部とを具備することとした。
【００１３】
また、請求項２記載の本発明では、上記吸気口を円形にした。
【００１４】
また、請求項３記載の本発明では、少なくとも上記吸気口を囲繞する汚水浸入防止壁を突設した。
【００１５】
さらに、請求項４記載の本発明では、上記筒状本体の基端部に流路切替弁を設けるとともに、同流路切替弁に、給水源側からの洗浄水を導入するエルボ形流入管を、流入口が後方を向くように取付け、しかも、同エルボ形流入管の取付姿勢を、前記筒状本体の軸線に対して上方へ傾斜させた。
【００１７】
【発明の実施の形態】
本発明は、給水源に連通連結した局部洗浄用ノズルに、複数の流路と、同複数の流路の一つと連通した吸気口とを形成し、通常の洗浄水と気泡混じりの洗浄水とを選択的に吐出可能とした衛生洗浄装置であって、前記吸気口を、前記複数の流路にそれぞれ連通する複数の吐水口と、同一面上に並設したものである。
【００１８】
すなわち、衛生洗浄装置を製造して出荷する前には、ノズル装置の検査を行うが、特に、各流路からの漏水検査を行う場合、上記した構成としたことにより、吸気口を含む全ての開口が同一方向を向いているので、検査対象となる吐水口をピンで塞ぐ動作を全て同じ方向で行える。
【００１９】
したがって、従来のように、気泡混じりの洗浄水の吐水口に連通する吸気口が反対側に位置していたために、２本のピンを互いに逆方向から差し込んだりする必要がなく、検査を容易に行うことができる。
【００２０】
また、上記吸気口は円形にすることが望ましく、検査用のピンを共用化できるので検査効率が向上する。
【００２１】
また、少なくとも上記吸気口には、同吸気口を囲繞するように汚水浸入防止壁を突設することが望ましい。
【００２２】
かかる汚水浸入防止壁によって、汚水がノズル周面を伝ってきても、内部に侵入するおそれがない。
【００２３】
ところで、本実施形態に係る衛生洗浄装置は、便器の上に載置する便座一体型のものに好適に採用することができる。例えば、便座を上下回動自在に連結した機能部ケーシング内の一側に、給水源に接続したバルブユニットを配設し、同バルブユニットの下流側をなすとともに、同バルブユニットと反対側位置に、局部洗浄水の加熱を行う貯湯式熱交換器を配設し、さらに、同熱交換器の下流側をなし、前記バルブユニットと同熱交換器との間で、機能部ケーシングの略中央位置に、本発明に係るノズル構造を有し、かつ、前後進退自在に構成した局部洗浄用ノズルを具備するノズル装置を配設することができる。
【００２４】
したがって、機能部ケーシング内に、熱交換器を含む主なる構成要素をコンパクトに収納配置して、外観的にもスマートな印象を与えるものとなすことができる。
【００２５】
また、上記ノズル装置に設けた局部洗浄用ノズルは、さらに以下の構成とすることが望ましい。
【００２６】
すなわち、複数の洗浄水通路を形成した筒状本体と、同筒状本体に取付けられ、前記複数の洗浄水通路とそれぞれ対応する袋小路状の溝部を形成するとともに、同溝部の終端部位置を、先端側から同一直線上で異ならせたノズルヘッドと、同ノズルヘッドを被覆するとともに、前記各溝部の終端部にそれぞれ対応する吐水口を形成し、しかも、最上部側に位置する吐水口に隣接して、同吐水口と前記溝部を介して連通する吸気口を形成した蓋体と、前記複数の吐水口にそれぞれ対応する開口部を設け、前記筒状本体、ノズルヘッド、及び蓋体を全体的に被覆する筒状胴部とを具備することとしたものである。
【００２７】
かかる構成により、複雑なノズルの組立ても容易に行えるとともに、各吐水口及び吸気口への汚水の浸入をより確実に防止でき、しかも、たとえばノズルの胴部が汚損したりしても、筒状胴部のみを簡単に取り替えることができる。
【００２８】
さらに、上記筒状本体の基端部に流路切替弁を設けるとともに、同流路切替弁に、給水源側からの洗浄水を導入するエルボ形流入管を、流入口が後方を向くように取付け、しかも、同エルボ形流入管の取付姿勢を、前記筒状本体の軸線に対して上方へ傾斜させることができる。
【００２９】
かかる構成とすれば、熱交換器とノズル装置との間とを給水管で連通した場合、ノズルが後退した位置でも給水管が機能部ケーシングの後壁と緩衝することを防止でき、前述したように、熱交換器を収納した機能部ケーシングの幅を薄くして、よりコンパクトな構造とすることが可能となる。
【００３０】
【実施例】
図１は本実施例にかかる衛生洗浄装置Ａの平面図、図２は同側面図、図３は同斜視図、図４は同衛生洗浄装置Ａの使用状態を示す説明図である。
【００３１】
図１〜図３に示すように、衛生洗浄装置Ａは、機能部ケーシング１と、同ケーシング１の前面部に枢支連結して開閉自在とした暖房機能付きの便座２とを具備しており、図４に示すように、便器本体Ｂの上面に載置されて用いられる。３は便蓋であり、前記便座２に枢支連結されて開閉自在に取付けられている。なお、図１及び図２においては閉蓋状態、図３及び図４においては開蓋状態を示している。20,20は便座２の枢支部、30,30は便蓋３の枢支部である。また、101は便座２に内蔵したヒータに通電するコード、B1は便器本体Ｂの後方に配設された便器洗浄用の貯水タンク、さらに、Ｆは後述するバルブユニット４の入水口40に連結したフレキシブルホースであり、基端を図示しない給水源と接続した配管Ｃに連結している。また、100はアース線である。
【００３２】
機能部ケーシング１は、ベース部材となる下部ケーシング10と上部ケーシング11とを一体に連結した構成としており、ケーシング１の一側端部（使用者が座した状態で右側）を前方に伸延してアーム状の操作部12を形成している。
【００３３】
同操作部12の側面下部12aは、内側に傾斜するテーパ状に形成されており、同側面下部12aには、後述する脱臭装置Ｅに連通した排気スリットE1を形成している。
【００３４】
また、操作部12の上面の前端から２／３程度までは主操作パネル13を設け、基部側にかけて１／３程度は開閉自在の蓋14に覆われた副操作パネル（図示せず）を設けている。
【００３５】
かかる主操作パネル13により、洗浄運転のオン・オフ、ノズル位置調整、温風による乾燥運転などを行うことができるとともに、運転状態表示や洗浄水の水勢強弱表示がなされる。13aは局部洗浄運転スイッチである。
【００３６】
また、副操作パネルにより、電源のオン・オフ、洗浄水や便座、温風の温度設定など、基本設定を行えるようにしている。
【００３７】
図５は機能部ケーシング１の上部ケーシング11を外したときの本衛生洗浄装置Ａの内部構造を示す説明図、図６は同衛生洗浄装置Ａの水路系統を示す模式的説明図である。
【００３８】
図示するように、下部ケーシング10の上には、操作部12側に位置するようにバルブユニット４を配設して、給水の制限や、流路の開閉などを行うようにしている。
【００３９】
また、バルブユニット４の下流側をなし、下部ケーシング10の操作部12とは略反対側をなす位置に、局部洗浄水の加熱を行う貯湯式熱交換器５を配設している。
【００４０】
そして、同熱交換器５の下流側をなし、バルブユニット４と熱交換器５との間で機能部ケーシング１の略中央位置に、本発明の要部となるノズル装置６を配設している。なお、同ノズル装置６については後に詳述する。
【００４１】
71は前記バルブユニット４の流出口41と熱交換器５の下部に設けた流入口51とを連通連結する給水管であり、可撓性樹脂から形成されて、下部ケーシング10に設けたガイドリブ（図示せず）に沿って、前記ノズル装置６の下方を通している。したがって、給水管71は短くて済み、しかも、給水管71から万一漏水しても、給水管71の下方には特別な装置類がないために被水対策が不要となっている。
【００４２】
72は熱交換器５とノズル装置６とを連通連結する洗浄水供給管、73は局部洗浄用ノズル60の胴体部を洗浄するためにバルブユニット４と後述するノズル洗浄室61とを連通連結したノズル洗浄配管である。
【００４３】
また、機能部ケーシング１内には、図示するように、バルブユニット４とノズル装置６との間に温風乾燥装置Ｈ及び各装置類を制御する制御部Ｓを配設するとともに、バルブユニット４と温風乾燥装置Ｈと制御部Ｓと上部ケーシング11とで形成されるスペース内には、脱臭装置Ｅを前記温風乾燥装置Ｈ上に積層状態に配設している。
【００４４】
温風乾燥装置Ｈは、温風ダクトH1を備え、同ダクトH1の中途で下側位置に図示しない送気ファンを備えており、下部ケーシング10の前端縁に切欠形成した送風口H2から局部に向けて、温風を便座３に着座した使用者の局部に向けて送風可能としている。さらに、前記温風ダクトH1内には、図示しないヒータ及び温風温度監視用のサーミスタを配設している。
【００４５】
また、前記送風口H2の奥側で、下部ケーシング10の下面には脱臭吸気口（図示せず）を設けており、同脱臭吸気口と前記排気スリットE1（図２参照）とを脱臭ダクトE2を介して連通連結している。
【００４６】
なお、同脱臭ダクトE2の中途に、吸引ファンｆ及び脱臭用触媒（図示せず）を配設し、便器本体Bのボウル部B2内にこもる臭気を消臭して排気することができる。
【００４７】
ここで、本発明の特徴をなすノズル装置６に設けた局部洗浄用ノズル60の構成について説明する。
【００４８】
図７は前記バルブユニット４から本発明の要部となるノズル装置６に至る流路説明図、図８は同ノズル装置の側面視による説明図、図９は局部洗浄用ノズル60の平面図、図１０は図９のＩ−Ｉ線における断面図、図１０はノズルヘッド及び蓋体の説明図、図１１は局部洗浄用ノズル60の先端部分の分解斜視図である。
【００４９】
本実施例に係るノズル装置６は、熱交換器５から供給される洗浄水を噴出可能とした局部洗浄用ノズル60を、進退機構Ｊにより、後退させた待機位置と前進させた使用位置との間で進退可能に配設している。
【００５０】
図７及び図８に示すように、進退機構Ｊは、30〜32度の角度で傾斜させるとともに、上面を樋状に形成した合成樹脂製のノズル取付台62の後部にモータ収納部62aを一体成形し、同モータ収納部62a内にノズルモータＭを、その軸方向が前記取付台62と直交するように収納配設している。
【００５１】
そして、モータ軸M1に駆動プーリＰを取付けるとともに、同駆動プーリＰの上方位置であって、前記ノズル取付台62の後端部に第１従動プーリP1を回動自在に取付け、さらに、前記ノズル取付台62の前端部に回動自在に取付けた第２従動プーリP2との間を、無端状のタイミングベルト63で巻回している。
【００５２】
そして、同タイミングベルト63を、局部洗浄用ノズル60の基端部に設けた流路切替弁収納部65の側面部に形成したラッチ部65aに係合している。
【００５３】
また、ノズル取付台62の前端部には、所定幅の周壁を有するアーチ状のノズル洗浄室61を一体成形しており、同ノズル洗浄室61の前壁には、前記局部洗浄用ノズル60の周面をガイドするガイド用円状フランジ61 aを形成するとともに、一側側壁に前記第２従動プーリP2を取付ける一方、他側側壁にノズル洗浄水導入管64（図５参照）を突設し、バルブユニット４から伸延させたノズル洗浄配管73と連通連結している。
【００５４】
かかる構成により、前記ノズルモータＭを駆動させると、局部洗浄用ノズル60をノズル取付台62に沿って進退させることができ、また、このとき、前記ガイド用円状フランジ61aによって局部洗浄用ノズル60の横ぶれを防止可能としている。
【００５５】
しかも、局部洗浄用ノズル60を進退させながら、前記ノズル洗浄水導入管64からノズル洗浄配管73を通してノズル洗浄水をノズル洗浄室61に供給することで、胴部の洗浄が行える。
【００５６】
さらに、ノズル取付台62を樋状にしているので、万一漏水などがあったりしても、ボウル部B2に流下させることができる。
【００５７】
なお、66は前記タイミングベルト63のテンショナーであり、テンショナーボックス66aの下面に、スプリング（図示せず）で支持されたテンションプーリ66bを配設して構成している。
【００５８】
また、局部洗浄用ノズル60は、合成樹脂により形成されており、分割形成した部材を一体的に組付けて構成されている。
【００５９】
図８に示すように、局部洗浄用ノズル60は、筒状本体67と、同筒状本体67に取付けられたノズルヘッド68と、同ノズルヘッド68を被覆する蓋体69と、これら筒状本体67、ノズルヘッド68、及び蓋体69を全体的に被覆する筒状胴部60aを具備している。
【００６０】
筒状本体67は、図９〜図１１に示すように、３本の洗浄水通路67a,67b,67cを内部に貫通形成するとともに、基端部には流路切替弁収納部65を一体成形している。67eは筒状胴部60aを嵌装する際にガイドするガイド溝部である。
【００６１】
なお、本実施例では、前記３本の洗浄水通路のうち、図１１において、上部の向かって左右に設けたものを、ビデ用通路67aとやわらか用通路67b、下部に設けたものをおしり用通路67cとしている。
【００６２】
また、前記流路切替弁収納部65には、前記ラッチ部65aの反対側面に、前記洗浄水供給管72を接続するエルボ形流入管75を、その流入開口75aが後方に向くようにして突設している。75bはエルボ形流入管75と流路切替弁収納部65との連通口である。
【００６３】
しかも、図１０に示すように、同エルボ形流入管75の取付姿勢を、前記筒状本体67の軸線に対して上方へθだけ傾斜させている。
【００６４】
すなわち、図１〜図５でも明らかなように、機能部ケ―シング１は前後幅を狭めたコンパクトな構成としており、ノズル装置６は機能部ケーシング１の後壁までにぎりぎりの状態で配設されている。そして、熱交換器５とエルボ形流入管75とを洗浄水供給管72で連結したときに、同エルボ形流入管75が前記筒状本体67の軸線と平行であれば、局部洗浄用ノズル60の収納位置においては洗浄水供給管72が機能部ケーシング１の後壁と干渉してしまう。そこで、本実施例では、前記傾斜角θを設けて、局部洗浄用ノズル60の進退動作に対し、洗浄水供給管72が円滑に追従するとともに、機能部ケーシング１の後壁と干渉することのないようにしている。傾斜角θの範囲は、４〜６度が適当であり、本実施例では５度に設定している。
【００６５】
また、前記流路切替弁収納部65に配設する流路切替弁V1は、図８に示すように、流路切替用開口（図示せず）を設けた第1プレート81に、流量調整用開口（図示せず）を設けた第２プレート82を重合させて配設し、同第２プレート82を流路切替用モータMにより回転駆動させ、前記したビデ用通路67a、やわらか用通路67b、おしり用通路67cに所定流量で選択的に流出させるようにしている。かかる流路切替用モータMは前記した主操作パネル13の操作により制御部Ｓを介して行われる。
【００６６】
ノズルヘッド68は、前記筒状本体67の先端に取付けられており、前記３本の洗浄水通路（ビデ用通路67a、やわらか用通路67b、おしり用通路67c）とそれぞれ対応する袋小路状のビデ用溝部68a、やわらか用溝部68b、おしり用連通部68c、さらに、同おしり用連通部68cと後述するオリフィスとして機能する通水孔68cを介して連通した気泡混合溝ａが形成されている。
【００６７】
そして、図１１に示すように、向かって左端に設けたビデ用溝部68aの終端部を右へ回り込ませて最先端位置に、右端に設けたやわらか用溝部68bの終端部を左へ回り込ませてビデ用溝部68aの上側位置に配置している。また、前記やわらか用溝部68bの上部側に気泡混合溝ａを形成している。なお、同気泡混合溝ａは蓋体69を装着することで、気泡混合室を形成する。
【００６８】
そして、図１０に示すように、中央下面側におしり用連通部68cを直線状に設け、前記通水孔68cを介して前記気泡混合溝ａとを連通させている。また、おしり用連通部68cの終端部下面は開放されており、本実施例では、これを下蓋68dで閉塞している。
【００６９】
このように、ノズルヘッド68の上面には、ビデ用溝部68a、やわらか用溝部68b、気泡混合溝ａの各終端部が、先端側から同一直線上に並設されている。
【００７０】
上記ノズルヘッド68上に装着される蓋体69には、前記各溝部68a,68b,68cの終端部にそれぞれが対峙するように、ビデ用吐水口69a、やわらか用吐水口69b、おしり用吐水口69cを形成している。
【００７１】
さらに、最上部側に位置するおしり用吐水口69cに隣接して、同吐水口69cと、前記気泡混合溝ａを介して連通する吸気口ｂを形成している。
【００７２】
かかる吸気口ｂは気泡混合溝ａの始端部上方に位置しており、当然ながら、これらビデ用吐水口69a、やわらか用吐水口69b、おしり用吐水口69c、吸気口ｂについても、蓋体69の上面上において同一直線上に配置されることになる。
【００７３】
また、これらビデ用吐水口69a、やわらか用吐水口69b、おしり用吐水口69c、さらに吸気口ｂは、平面視円形形状としており、しかも、周囲を囲繞するように筒状の汚水浸入防止壁91,92,93,94を突設している。
【００７４】
このように、ノズルヘッド68の上面に蓋体69を、下面に下蓋68dを取付けることで、図１１に示すように、前記ビデ用通路67aとビデ用溝68aとからなるビデ用流路W1、前記やわらか用通路67bとやわらか用溝68bとからなるやわらか用流路W2、さらに、前記おしり用通路67cとおしり用溝部68cとからなるおしり用流路W3を形成することができる。
【００７５】
特に、おしり用流路W3では、前記下蓋68dのおしり用溝部68c側面を膨出させることで流路を絞り、流速を増すように構成するとともに、前記通水路68cにより斜め上方へ屈曲する流路から、直接前記おしり用吐水口69cを通過して勢いよく噴出できるようにしている。そして、このときに、気泡混合室においてエアを巻き込んで洗浄水中に気泡を取り込むことができる。
【００７６】
このように、おしりの洗浄時には、気泡混じりの洗浄水を使用することになるので、前述したように水勢が増すことによってハード感があるとともに、気泡の効果によって洗浄力も向上する。
【００７７】
なお、上述してきた前記筒状本体67、ノズルヘッド68、及び蓋体69を全体的に被覆する筒状胴部60aには、その先端部に、前記蓋体69に設けた複数の吐水口(ビデ用吐水口69a、やわらか用吐水口69b、おしり用吐水口69c)にそれぞれが対峙するように開口部（ビデ用開口96、やわらか用開口97、おしり用開口98）を設けており、本筒状胴部60aを装着していても、各吐水口69a,69b,69cからは洗浄水が問題なく吐水される。また、先端部の各開口96,97,98の裏側位置には水抜き孔99を形成している。
【００７８】
他方、蓋体69に設けた吸気口ｂの上方部は、筒状胴部60aによって覆われた状態となっているので、同吸気口ｂには直接的に汚水が浸入することはない。
【００７９】
万一蓋体69の表面を汚水が伝ってきても、前述したように、汚水浸入防止壁94を突設しているので、汚水が内部に侵入するおそれがなく、清潔さを保つことができる。
【００８０】
また、最外部となる筒状胴部60aは、進退時に前記したノズル洗浄室61で周面を洗浄することができるので、清潔さを保つことができ、万一汚損したりしても、筒状胴部60aのみを簡単に取り替えることができ、メンテナンス性も良好となっている。
【００８１】
本実施例に係る局部洗浄用ノズル60は上記してきた構成となっており、使用者が主操作パネル13で選択的に局部洗浄操作を行えば、その操作に基づいて、流路切替弁V1が駆動し、洗浄水は前記した各流路W1,W2,W3を通リ、各吐水口69a,69b,69cから吐出されて気持ちよく局部洗浄が行える。
【００８２】
特に、おしり洗浄時には、吐水時のエゼクタ効果により、吸気口ｂからエアが気泡混合溝ａと蓋体69とから形成される気泡混合室内に取り込まれ、洗浄水内に混入されて洗浄感がソフトで、なおかつ気泡によって洗浄効果の高い局部洗浄が行える。
【００８３】
上記構成の局部洗浄用ノズル60は、工場出荷前に漏水検査が行われる。
【００８４】
すなわち、上記した各流路W1,W2,W3からの漏水検査を行うのであるが、ビデ用流路W1の漏水を検査する場合は、図１２に示すように、同流路W1に連通するビデ用吐水口69aをプローブピン95で閉塞し、流路W1に通水するのである。このとき、漏水があれば、他の吐水口69b,69cから出水がみられる。
【００８５】
同様に、やわらか用流路W2、おしり用流路W3の検査も行うが、かかるおしり用流路W3の漏水検査では、おしり用吐水口69cと吸気口ｂの両方を閉塞しなければならない（両口69c,ｂは連通している）。
【００８６】
この場合、本実施例では、吸気口ｂについても各吐水口69a,69b,69cと同一方向に向けて並設しているので、プローブピン95は同じ方向に差し込めばよいので、工程が容易となっている。つまり、従来では、吸気口を各吐水口69a,69b,69cと反対側に位置させていたために、おしり用吐水口69cの漏水検査では２本のプローブピン95を互いに逆方向から差し込んだりしなければならず、合理的な漏水検査ができなかったのである。
【００８７】
また、このときに、吸気口ｂの形状についても、各吐水口69a,69b,69c同様の円形にしているので、検査用のプローブピン95の共用化も図れるという効果を奏する。
【００８８】
次に、本実施例に係る衛生洗浄装置Ａに設けたバルブユニット４について、図７及び図１３を参照しながら説明する。
【００８９】
図示するように、バルブユニット４は、前記した入水口40を一側端部から下方に突設するとともに、ストレーナ43aを一体成形した水抜き栓43を内蔵した筒状の給水部4aと、同給水部4aの他側端部に連設し、調圧弁44を設けた調圧部4bと、同調圧部4bから、前記給水部4aと直角方向に伸延させ、中途に後述する主弁部Ｖの主要素であるダイヤフラム式弁体（図示せず）及び主電磁弁45と、さらに副電磁弁46と、安全弁47と、バキュームブレーカ48を設けた弁体部4cとを具備しており、同弁体部4cに前記した流出口41を突設し、同流出口41から熱交換器５を介してノズル装置６に給水可能としている。
【００９０】
また、入水口40に連通し、ストレーナ43aから調圧弁44に至る主流路Ｒの中途に逆止弁21を配設するとともに、調圧弁44の下流側から副流路R1を分岐している。
【００９１】
そして、前記主流路Ｒの中途に主電磁弁45を含む主弁部Ｖ及び安全弁47を配設するとともに、同主流路Ｒの終端を熱交換器５に連通連結している。
【００９２】
一方、分岐流路である副流路R1は、その中途に副電磁弁46とバキュームブレーカ48を配設しており、その終端を、前記ノズル洗浄室6 1に連通連結したノズル洗浄配管73に接続している。
【００９３】
また、同副流路R1に設けた副電磁弁46の下流側と、前記主流路Ｒに設けた主弁部Ｖとを連通路R2で連通連結するとともに、同連通路R2を、主電磁弁45により開閉自在としている。
【００９４】
ここで、水抜き栓43とは、寒冷地などで流路内の凍結を防止するために流路内の水抜きを行うもので、主・副電磁弁45,46を開いた状態でバルブユニット４から取り外して水抜きを行うようにしている。
【００９５】
調圧弁44は、給水圧を調圧し、所定圧となるように調整する弁であリ、本実施例では、0.13MP aとなるようにしている。
【００９６】
副電磁弁46は、開弁してノズル装置６に設けたノズル洗浄室61内の洗浄水を供給するためのものである。
【００９７】
安全弁47は、規定の水圧以上の水が主弁部Ｖに流れ込んだ場合に、開いて余分な水をボウル部B2に捨水する弁である。
【００９８】
バキュームブレーカ48は、主弁部Ｖに対して一次側が負圧になった場合に、空気を洗浄水流路内に吸い込んで、ノズル装置６側から水が逆流することのないようにしたものである。
【００９９】
さらに、図７及び図１３中、22はノズル洗浄配管73を接続するノズル洗浄水吐出管、23は大気に連通した開放管、24は安全弁47に連通する捨水管、25はバルブユニット３を下部ケーシング10に取付けるための回り止め金具、26は前記入水口40を設けた継手40aの固定金具であり、アース端子26aを設けている。
【０１００】
【発明の効果】
発明は上記のような形態で実施されるもので、以下の効果を奏する。
【０１０１】
(1) 請求項１記載の本発明では、給水源に連通連結した局部洗浄用ノズルに、複数の流路と同複数の流路の一つと連通した吸気口とを形成し、通常の洗浄水と気泡混じりの洗浄水とを選択的に吐出可能とした衛生洗浄装置において、前記吸気口を、前記複数の流路にそれぞれ連通する複数の吐水口と、同一面上に並設した。さらに、上記局部洗浄用ノズルは、複数の洗浄水通路を形成した筒状本体と、同筒状本体に取付けられ、前記複数の洗浄水通路とそれぞれ対応する袋小路状の溝部を形成するとともに、同溝部の終端部位置を、先端側から同一直線上で異ならせたノズルヘッドと、同ノズルヘッドを被覆するとともに、前記各溝部の終端部にそれぞれ対応する吐水口を形成し、しかも、最上部側に位置する吐水口に隣接して、同吐水口と前記溝部を介して連通する吸気口を形成した蓋体と、前記複数の吐水口にそれぞれ対応する開口部を設け、前記筒状本体、ノズルヘッド、及び蓋体を全体的に被覆する筒状胴部とを具備することとした。
【０１０２】
したがって、ノズルの各流路の漏水検査を行う場合、検査対象となる吐水口をピンで塞ぐ動作を全て同じ方向で行える。また、複雑なノズルの組立てが容易に行えるとともに、吸気口への汚水の浸入をより確実に防止でき、しかも、たとえばノズルの胴部が汚損したりしても、筒状胴部のみを簡単に取り替えることができる。
【０１０３】
(2)請求項２記載の本発明では、上記吸気口を円形にした。
【０１０４】
したがって、検査用のピンを共用化できるので検査効率が向上する。
【０１０５】
(3)請求項３記載の本発明では、上記吸気口を囲繞するように汚水浸入防止壁を突設した。
【０１０６】
したがって、汚水がノズル周面を伝ってきても、内部に侵入するおそれがなく清潔さを保つことができる。
【０１０９】
(4)請求項４記載の本発明では、上記筒状本体の基端部に流路切替弁を設けるとともに、同流路切替弁に、給水源側からの洗浄水を導入するエルボ形流入管を、流入口が後方を向くように取付け、しかも、同エルボ形流入管の取付姿勢を、前記筒状本体の軸線に対して上方へ傾斜させた。
【０１１０】
したがって、熱交換器とノズル装置との間とを給水管で連通した場合、ノズルが後退した位置でも給水管が機能部ケーシングの後壁と緩衝することを防止でき、熱交換器を収納した機能部ケーシングの幅を薄くして、よりコンパクトな構造とすることが可能となる。
【図面の簡単な説明】
【図１】本実施例にかかる衛生洗浄装置の平面図である。
【図２】同側面図である。
【図３】同斜視図である。
【図４】同衛生洗浄装置の使用状態を示す説明図である。
【図５】機能部ケーシングの上部ケーシングを外したときの本衛生洗浄装置の内部構造を示す説明図である。
【図６】同衛生洗浄装置の水路系統を示す模式的説明図である。
【図７】バルブユニットの説明図である。
【図８】ノズル装置の側面視による説明図である。
【図９】ノズル本体の平面図である。
【図１０】図９のＩ−Ｉ線における断面図である。
【図１１】局部洗浄用ノズルの先端部分の分解斜視図である。
【図１２】局部洗浄用ノズルの漏水検査の説明図である。
【図１３】バルブユニットの説明図である。
【符号の説明】
Ａ  衛生洗浄装置
ｂ  吸気口
W1  ビデ用流路
W2  やわらか用流路
W3  おしり用流路
６  ノズル装置
60  局部洗浄用ノズル
69a  ビデ用吐水口
69b  やわらか用吐水口
69c  おしり用吐水口
【図１】
0004701526.tif 000002
【図２】
0004701526.tif 000003
【図３】
0004701526.tif 000004
【図４】
0004701526.tif 000005
【図５】
0004701526.tif 000006
【図６】
0004701526.tif 000007
【図７】
0004701526.tif 000008
【図８】
0004701526.tif 000009
【図９】
0004701526.tif 000010
【図１０】
0004701526.tif 000011
【図１１】
0004701526.tif 000012
【図１２】
0004701526.tif 000013
【図１３】
0004701526.tif 000014